(57)【特許請求の範囲】
【請求項１】
・ファサード要素を備えた外被材と、
・雨よけ（rain barrier）（４）と、
・床端（０）に垂直に取付けられ、後方平面（１ａ）を含む側面要素（１）と、
・当該床端（０）の前方の第１遮断要素（３）と、床間に垂直に配置され床端の内方の第２遮断要素（５ａ）を含む内部遮断システムと、を具備する断熱システムと、
・蒸気よけ（vapor barrier）（５ｃ）と、
・内張り（５ｂ）と
を具備する、建築物のファサード（facade）であって、
前記第１遮断要素（３）が当該ファサードの表面に亘って連続的であり、空気ポケットがなく、
この第１遮断要素（３）の隣接する２つの横幅が、前記床端（０）の外方に突出する前記側面要素（１）の中間平面（１ｃ）により分離され、
・前記各後方平面（１ａ）は、少なくとも１つの床端（０）に取り付けられ、ならびに内部遮断システム（５）に接触または取付けられ、
外被材、雨除け（４）、側面要素（１）、第１遮断要素（３）、第２遮断要素（５ａ），蒸気よけ（５ｃ）及び内張り（５ｂ）が連続して配置されていることを特徴とする建築物のファサード。
【請求項２】
請求項１に記載の建築物のファサードであって、
側面要素（１）は、
・雨よけ（４）およびファサード要素を支持し、これらを取付ける前方平面（１ｂ）を含み、
・中間平面（１ｃ）は、当該後方平面（１ａ）と前方平面（１ｂ）とを連結することを特徴とする建築物のファサード。
【請求項３】
請求項１または２に記載の建築物のファサードであって、当該側面要素（１）がＨ、Ｃ、ＵまたはＺ字型要素の少なくとも一つの形状で形成されていることを特徴とする建築物のファサード。
【請求項４】
請求項１〜３のいずれか１項に記載の建築物のファサードであって、当該側面要素（１）が強化プラスチックからできていることを特徴とする建築物のファサード。
【請求項５】
請求項１〜４のいずれか１項に記載の建築物のファサードであって、当該側面要素（１）が引抜成形樹脂およびガラス繊維組成物からできており、連続的および／またはマット形態であることを特徴とする建築物のファサード。
【請求項６】
請求項１〜５のいずれか１項に記載の建築物のファサードであって、当該第１および第２遮断要素（３，５ａ）が、無機繊維に基づく遮断材、ガラスウール、ロックウール、植物繊維、麻、亜麻、綿ウール、動物由来の繊維及び羊毛の少なくとも一つであることを特徴とする建築物のファサード。
【請求項７】
請求項１〜６のいずれか１項に記載の建築物のファサードであって、当該内張り（５ｂ）が、プラスターボードシートまたは多数の重畳する前記シートに基づくことを特徴とする建築物のファサード。
【請求項８】
請求項１〜７記載の建築物のファサードであって、
更に、各床の頂部で床端の内方に配置された第１トラックセット（５３）と、
各床の底部で床端の内方に配置された第２トラックセットと（５２）、
側面要素（１）に取り付けられた水平レール（５１）とを具備し、
第２遮断要素（５ａ）は側面要素（１）と水平レール（５１）に接触し、第１トラックセット（５３）と第２トラックセット（５２）の外方に位置している、
建築物のファサード。
【請求項９】
第１遮断要素（３）の横幅は、床端（０）から外方に延びているスパイク（３１）により位置が保持されている請求項１〜８の何れかに記載の建築物のファサード。
【請求項１０】
建築物のファサードを作るための組立て部品であって、
・ファサード要素と、
・雨よけ（４）と、
・側面要素（１）と床端（０）との間の隙間でもって、床端（０）に対して側面要素（１）を垂直に取付ける手段と、
・当該床端（０）の外方で前方に配置された第１遮断要素（３）と、床間に垂直で、床端（０）の内方に配置され、第１遮断要素（３）と側面要素（１）の後方平面要素とに隣接する第２遮断要素（５ａ）と、を具備する断熱システムと、
・蒸気よけ（５ｃ）と、
・内張り（５ｂ）とを具備し、
・前記側面要素（１）が、当該ファサードの表面に亘って連続的、且つ空気ポケットがない層において当該第１遮断要素（３）を収容するものであり、前記側面要素（１）が当該床端（０）の外側に突出し、この第１遮断要素（３）の隣接する２つの横幅を分離する中間平面（１ｃ）を有し、
ファザード要素、雨除け（４）、側面要素（１）及び第１遮断要素（３）、第２遮断要素（５ａ），蒸気よけ（５ｃ）、及び内張り（５ｂ）は連続して配置されている組立て部品。
【請求項１１】
更に、水平レールに取り付けられた接触間隔要素（５４）を備え、前記第２遮断要素（５ａ）は接触間隔要素（５４）に配置されている、請求項８記載の建築物のファサード。
【請求項１２】
前記第２遮断要素（５ａ）は内部遮断システムの一部を形成し、各側面要素（１）の後方平面（１ａ）は床端（０）の一つに取り付けられ、内部遮断システムに支持又は取り付けられている、請求項１０記載の建築物のファサード。
【発明の詳細な説明】
【発明の概要】
【０００１】
本発明は、建築物のファサード（facade）に関する。
【０００２】
多くのファサードは現在、小さな要素および／またはコンクリートケーシングフレームワーク（concrete casing framework）を用いる石造建築で作られている。
【０００３】
これらのファサードは、比較的重く、且つ、時には製造することが困難である。
【０００４】
それらは、内部断熱または外部断熱のいずれかに関して、構造部材との境界面や特定の部分（バルコニー、ロッジア、壁の方向の変わり目など）でのサーマルブリッジ（thermal bridges）の満足な処理を提供するものではない。
【０００５】
当該建築物がその寿命を終える時、これらのファサードは取り外す方法がないため、必然的に取り壊されなければならない。
【０００６】
軽量のファサード、例えばセミカーテン（semi-curtain）の壁などを開発するための試みは、今までのところ以下の要件のすべてを充足してはいない：
・サーマルブリッジは合理的なレベルに限られなければならない、
・不透明な部分とガラスをはめた部分とを一体化させなければならない、
・それらは十分に水密且つ気密でなければならない、
・それらは種々のタイプの建築物に適合できるものでなければならない、
・建築コストが抑えられていなければならない。
【０００７】
これらの問題は本発明により解決され、本発明は特に：
・不透明な部分とガラスをはめた部分とを含む、建築物のファサード全体を処理することを可能にし、
・全体として（故にましてや部分的にも）取り外すことのできるファサードを製造し、
・建設および使用の双方において、コストの観点から特に有利である。
【０００８】
優れた断熱および防音レベルが達成され得る。
【０００９】
この目的のため、本発明は建築物のファサードに関連し、実質的に以下の順で：
・ファサード要素でできている外被材と、
・雨よけ（rain barrier）と、
・床端に垂直に取付けられる側面保持支持要素と、
・当該床端の前方の第一遮断要素と床間の内部の第二断熱要素とを含む断熱システムと、
・蒸気よけ（vapor barrier）と、
・内張りと
を具備し、前記ファサードは、第一遮断要素が当該ファサードの表面に亘って基本的に連続的であり、特に、実質的に空気ポケットを有さず、この第一遮断要素の隣接する２つの幅が、当該床端の前方に突出する前記側面要素の平面によって分離されていることを特徴とする。
【００１０】
外被材に使用されるファサードの構成要素の種類は限定されない。それらは例えば、金属のクラッディング（cladding）（任意に波形をつけるなどした金属の薄板）または材木の化粧面であってよい。これらのファサード要素、または言い換えれば、この外部の化粧面は、前記側面要素にそれら自体が取付けられる、当該雨よけの上の垂直側面要素（例えば、Ｚ字型部分）に、またはこれら垂直側面要素もしくは垂直Ｚ字型部分に取付けられる水平方向のフレームワークに、有利に取付けられる。空隙は、当該Ｚ字型部分の奥行きの全部、例えば２ｃｍを占める。
【００１１】
したがって、有利には少なくとも２ｃｍの厚さの空隙が、当該外部化粧面が取付けられる垂直側面要素の奥行きに相当する容積で、当該雨よけと当該外側の化粧面（これによって、垂直な空気循環が可能となる）との間に形成される。
【００１２】
雨よけは、フレキシブルなプラスチックシートであり、前記側面要素の外面に取付けられる。あるいは、木材のシートもしくはＯＳＢ（配向性ストランドボード）またはその同等物を側面要素と雨よけとの間に差し込み、当該ファサードの音響パフォーマンスを改善してよい。
【００１３】
当該ファサードは、いずれかの適切な方法、特に実質的な外部からの方法によって当該床端に取付けられ、そのいくつかの形態を以下で詳細に説明する。
【００１４】
前記第一遮断要素は好ましくは、実質的に前記側面要素の奥行きに相当する全容積を占める。前記遮断要素の厚さは、前記側面要素の奥行きと正確に同じである必要はないが、当該ファサードの表面は、可能な限り連続的な遮断材の層で覆われていることが必要である。したがってこの第一遮断材の層は、前記側面要素である当該ファサードに直交する薄い壁の厚さのみによって、隣接する２つの幅の間で中断されている。
【００１５】
内部の遮断システムを作る、床間の内部の第二の遮断要素、蒸気よけおよび前記内張りの配列の可能性は多様であり、いくつかの例を以下に詳細に述べる。
【００１６】
本発明の建築物のファサードは、例えば洗浄クレードル（cleaning cradle）に対して、または中位リスク地域に位置する２８メートルを越えない高さの住宅建築物の場合、特に、地震の影響に対して、耐衝撃性の観点から現在求められる非常に良好なレベルの力学的性質を提供する。
【００１７】
不透明な部分とガラスをはめた部分はどちらも容易に提供され、本発明を最も多様な種類および多様なスタイルの建築物に適用することは非常に容易である。
【００１８】
独立した蒸気よけフィルムを適用することにより作り出される気密性は良好で、同時に優れた断熱および防音を達成し得る。
【００１９】
本発明の当該ファサードは、容易に取り外され、製造コストは手頃である。
【００２０】
前記側面要素は好ましくは、
・少なくとも一つの床端との接触、ならびに内部遮断システムとの接触および／または取付けのための後方平面と、
・雨よけおよびファサード要素の支持および取付けのための前方平面と、
・裏面および前面を連結する中間平面と
を有する。
【００２１】
単純且つ実用的な実施形態において、当該後方平面および前方平Ｓ面は、当該ファサードの主要な面に対して平行な面にあり、当該中間平面は前記主要な面に直交する垂直な面にある。これは、一般的な平行六面体形状の遮断要素の幅が、前記中間平面のいずれかの側に取付けることができ、当該遮断要素が占有するスペースを最大化し得ることを意味する。
【００２２】
この特定の実施形態の第一の変形においては、当該後方平面が、当該中間平面の面の一方の側だけにある。従って、前記中間平面は例えばネジによって、当該中間平面の後方平面のない側にある固定具に容易に取付けられる。この取付けは、当該建築物の外側から容易に行うことができ、当該固定具はあらかじめ同じ方法で床端に取付けられている。
【００２３】
特に実用的な３つの実施形態が言及されてよい。
【００２４】
第一の実施形態において、前記前方平面は、後方平面と同じ中間平面の側面に位置する：当該側面要素は、基本的にはＵまたはＣ字型である（当該側面要素の端部は曲がってフランジとなる）。
【００２５】
第二の実施形態において、前記前方平面は、単独で中間平面の後方平面のない側に位置する：当該側面要素は、ほぼＺ字型（当該Ｚの２つの隣接するアームは直交する）である。
【００２６】
第三の実施形態において、当該前方平面は、中間平面の両側に位置する。
【００２７】
第一の変形と組み合わされてもよい第二の変形において、前記側面要素がＨ字型側面要素に実質的に内接する。つまり、それらはＨ字型要素であるか、または一つの末端部分が無いことのみによってＨ字型と異なる。これは特に、我々に第一の変形の３つの実施形態の形状を回想させる。
【００２８】
当該Ｈ字型側面要素は、外部から床端に容易に取付けることができる。必要とされるのはまず、第一Ｈ字型側面要素（上部）に取付けられる第一部分および第二Ｈ字型側面要素（下部）の中間平面に取付けられる第二部分を有する固定具を当該床端に取付けることである。各側面要素の前記前方平面は、パネルの２つの側面の端のうちの一つもしくは第一遮断要素の幅、または隣接するパネルの前記２つの側面の端または幅を覆う。
【００２９】
前記側面要素は、適切な厚さおよび重量に必要とされる高度な力学的特徴を提供するいずれかの材料からできており、これは金属、特にアルミニウム、好ましくは強化プラスチックであってよい。強化プラスチックは、壁の横断面内の側面要素における優れた力学的性質、床端のサーマルブリッジの問題を解決する良好な遮断性能、および良好な防火性を有する。これらの利点について以下で詳細に説明する。
【００３０】
当該側面要素は有利には、引き抜き成形した樹脂およびガラス繊維組成物からできており、これは特に連続的および／またはマット形態である。当該採用される樹脂は、アクリル、ポリエステル、ビニルエステル、またはエポキシ樹脂であってよい。
【００３１】
これらの材料は、必要とされる力学的性質を提供する。
【００３２】
それらは熱伝導率約０．２Ｗ／ｍＫを有する優れた断熱材であり、当該サーマルブリッジの問題に対する好適な解決策である。それらは優れた電気絶縁体でもある。
【００３３】
それらは多くの場合、非常に良好な防火性を有し、自消性であり、火災事象において毒性の煙霧を放出しない。
【００３４】
目安として、当該側面要素の壁の厚さは約４〜１０ｍｍであり、これは特に、前記中間壁のいずれかの側における、遮断要素の幅の並列により形成される遮断層の満足な連続性を提供する。
【００３５】
前記第一および第二遮断要素は好ましくは、無機繊維に基づく遮断材、例えばガラスウール、ロックウール、麻、亜麻および脱脂綿などの植物繊維、または羊毛などの動物由来の繊維などから選択される。
【００３６】
前記内張りは好ましくは、プラスターボードシート（ＢＡ２５タイプ、またはより厚い）または前記シートの多数の重ね合わせ（少なくとも２つのＢＡ１３など）に基づく。
【００３７】
本発明はまた、前記ファサードを作るための上記構成要素の組立て部品に関する。
【００３８】
本発明は、添付図面に関する以下の記載からより明確に理解され、添付図面の図１〜８によって本発明に従うファサードを組み立てる連続的な段階が遠近法により模式的に表わされる。
【００３９】
図１は、２つの隣接する床端０を表わす。しかしながら、本発明のファサードは、より多数の床を有する構造に完全に適していることに留意すべきである。
【００４０】
側面要素１は、６００ｍｍの規則的な間隔で床端０に垂直に取付けられる。
【００４１】
当該側面要素１はＵ字型であり、それぞれが目に見えない凹面を有し、観察者に最も近い側面要素の場合、それは左手側に位置する。
【００４２】
各側面要素１は、後方平面１ａ、およびそれに対して平行な前方平面１ｂを有する。これらは、垂直な中間平面１ｃにより共に連結される。当該中間平面は幅約１２０ｍｍ、厚さ６ｍｍである。
【００４３】
当該側面要素１は、連続ガラス繊維により強化されたポリエステル樹脂およびガラスファイバーマットで作られてよい。
【００４４】
当該側面要素１は、固定具２によって床端０に固定される。当該床端０は互いに正確に垂直である必要はなく、従ってこの当該側面要素１を固定する様式は、これらの要素１と床端０との間の無接触、即ち、側面要素１と床端０との間はゼロではないが、短い距離に対応する。
【００４５】
固定具２は金属または強化プラスチック製である。それらは床端０および側面要素１の中間平面１ｃの両方にネジで取付けられる。
【００４６】
図２は、側面要素１の奥行きにより定義される全スペースを占有する、遮断材３の適用を示す。
【００４７】
当該遮断材３は、Saint-Goban IsoverよりPanolene Facadeの名で販売されるガラスウール製のパネルから成る。このガラスウールは、熱伝導度０．０３２Ｗ／ｍＫを有する。
【００４８】
当該ガラスウールは、Ｕ字型側面要素１の凹面に差し込まれる。当該床端０に提示されるとき、それはまず当該床端に固定されるスパイク３１で刺し留められる。当該スパイク３１は、当該ガラスウール３が所定の位置にある場合、当該ガラスウール３の外で上に曲げられる。
【００４９】
次に、雨よけ４が、遮断材３の上部の当該側面要素１の前記前方平面１ｂに適用される。図３を参照されたい。雨よけは、先行技術の通り、例えばDoerken Delta Fassadeにより販売されるフレキシブルなプラスチックシートである。
【００５０】
ファサードを覆う外面、これは、本発明のシステムの一部であるが、特別な特徴を有さず、ここでは詳細に記載されない。
【００５１】
本発明のファサードのための内部遮断の構成を以下で説明する。
【００５２】
図４を参照すると、当該側面要素１の前記後方平面１ａに水平レール５１が取付けられる。迅速なガンリベット（gun-riveting）方法が用いられてよい。
【００５３】
当該レール５１は、垂直なフランジを有する金属製のＵ字型側面要素である。この主題について、当該内部遮断に関する残りの記載では、出願ＷＯ２００６／０６１５３８も参照される。
【００５４】
当該床端０にさらに取付けられるのは、下部トラック（bottom track）５２および上部トラック（top track）５３である。これらと前記後方平面１ａとの間の距離は、内部遮断の内張りシートが下部トラック５２および上部トラック５３に寄りかかるように選択される。
【００５５】
次に、接触間隔要素（contact and spacer elements）５４は毎回、例えば、水平レール５１の特定の弾性変形によって当該レールに取付けられる。
【００５６】
図５に示される通り、遮断要素５ａは、当該接触間隔要素５４に留められる。次に、遮断要素５ａは、側面要素１の後方平面１ａと下部トラック５２および上部トラック５３の後ろにある水平レール５１とに接して位置する。
【００５７】
当該遮断要素５ａは、その厚さが８０〜１２０ｍｍのいずれかから選択され、熱伝導率０．０３２Ｗ／ｍＫを有する、Saint-Gobain IsoverのIsoconfort 32という名前のガラスウールである。
【００５８】
次に、レール保持要素５５が、当該接触間隔要素５４に取付けられる−図６。
【００５９】
次に、図７に示す通り、垂直レール５６が当該保持要素５５に取付けられる。当該レール５６は、下部トラック５２および上部トラック５３の後ろに位置する。
【００６０】
当該垂直レール５６は、水平レール５１のように、垂直なフランジを有する金属製のＵ字型要素である。当該保持要素５５は、容易な位置調節を可能にする方法で当該接触間隔要素５４と連結し、それらは当該ファサードに直交し、故にロックすることができる。それらは、当該垂直レール５６とも連結し、当該ファサードに直交する所望の位置でそれらを固定する。
【００６１】
蒸気よけ５ｃは、当該レール５６の後方平面に適用される。
【００６２】
当該蒸気よけは有利には、Saint-Gobain IsoverによりVarioの名で販売される湿気調節膜である。標準的な蒸気よけは、例えば、１００〜２００μｍの厚さのポリエチレンシートからなってよい。
【００６３】
図８に示す通り、１３ｍｍの厚さのプラスターボード２枚、または２５ｍｍの厚さのプラスターボード５ｂ１枚が、垂直レール５６ならびに下部トラック５２および上部トラック５３によって形成される垂直な平面に取付けられる。
【００６４】
第二遮断要素５ａ、蒸気よけ５ｃ、および内張り５ｂを取付けるために、多数の変形が可能である。
【００６５】
特に、水平レール５１、接触間隔要素５４、保持要素５５および垂直レール５６からなる組み合わせは、容易に置換されてよい。
【００６６】
従って、上記スパイク３１を建築物の内部に向かう側面要素１の表面に取付け、第二遮断要素５ａに突き刺し、それをその上で保持することができる。あるいは、前記スパイク３１の機能は、２つの床の間の建築物内部に向かう側面要素１の表面に取付けられる垂直側面要素（例えばＵ字型要素など）により発揮されてよい。
【００６７】
蒸気よけ５ｃは、スパイク３１の上、または垂直Ｕ字型要素の上に適用されてよい。
【００６８】
当該蒸気よけ５ｃの前に、フランス基準ＮＦ DTU 25.41の直立材Ｍ ３６が同基準のランナーＲ ３６に、垂直位置で背中合わせで（対で）床および天井から取付けられてよい。これらの直立材Ｍ ３６は、Ｕ字型要素である。これらの直立材の奥行きに相当する当該容積は、空のままである（空隙）。
【００６９】
２枚のＢＡ１３タイプのプラスターボード５ｄ（または１枚のＢＡ２５）が、当該直立材Ｍ ３６に取付けられる。
【００７０】
この実施形態において、プラスターボードシート５ｂの取付けは独立しており、側面要素１と連結していない。
【００７１】
当該得られるファサードは、力学的強度の基準を満たし、且つ取り外しが容易である。それは、優れた断熱および防音を提供する。第一または外部遮断材と床間の第二または内部遮断材との間に、石造建築の壁またはそれと同等の壁を必要としない。
【図面の簡単な説明】
【００７２】
【図１】本発明に従うファサードを組み立てる連続的な段階。
【図２】本発明に従うファサードを組み立てる連続的な段階。
【図３】本発明に従うファサードを組み立てる連続的な段階。
【図４】本発明に従うファサードを組み立てる連続的な段階。
【図５】本発明に従うファサードを組み立てる連続的な段階。
【図６】本発明に従うファサードを組み立てる連続的な段階。
【図７】本発明に従うファサードを組み立てる連続的な段階。
【図８】本発明に従うファサードを組み立てる連続的な段階。
【図１】
0005619618.tif 000002
【図２】
0005619618.tif 000003
【図３】
0005619618.tif 000004
【図４】
0005619618.tif 000005
【図５】
0005619618.tif 000006
【図６】
0005619618.tif 000007
【図７】
0005619618.tif 000008
【図８】
0005619618.tif 000009